(57)【要約】【課題】表示部に表示させる測定結果の信頼性を確実かつ容易に認識させる。【解決手段】測定対象の物理量を測定して測定値を出力する測定処理を実行する測定部と、測定部を制御してＮ回（Ｎは、２以上の自然数）の測定処理を実行させて測定部から出力されたＮ個の測定値の平均値を演算すると共に演算した平均値を示す測定結果表示１２を表示部４の測定結果表示画面１１内に表示させる処理部とを備えた測定装置であって、処理部は、Ｎ個の測定値の分布を示す測定値分布表示１３を測定結果表示１２と共に測定結果表示画面１１内に表示させる。【選択図】図２
2014059199.tif 000002
【特許請求の範囲】
【請求項１】
測定対象の物理量を測定して測定値を出力する測定処理を実行する測定部と、
前記測定部を制御してＮ回（Ｎは、２以上の自然数）の前記測定処理を実行させて当該測定部から出力されたＮ個の前記測定値の平均値を演算すると共に当該演算した平均値を示す測定結果表示を表示部の測定結果表示画面内に表示させる処理部とを備えた測定装置であって、
前記処理部は、前記Ｎ個の測定値の分布を示す測定値分布表示を前記測定結果表示と共に前記測定結果表示画面内に表示させる測定装置。
【請求項２】
前記処理部は、前記測定結果表示として前記平均値を数値で表示させると共に、前記測定値分布表示として前記Ｎ個の測定値の分布をグラフで表示させる請求項１記載の測定装置。
【請求項３】
前記処理部は、前記Ｎ個の測定値の標準偏差を演算すると共に、当該演算した標準偏差、前記演算した平均値、および前記Ｎ個の測定値に基づき、正規分布を示す正規分布表示を前記測定値分布表示に重ねて表示させる請求項２記載の測定装置。
【請求項４】
前記処理部は、前記平均値を示す平均値表示を前記測定値分布表示に重ねて表示させる請求項２または３記載の測定装置。
【請求項５】
測定対象の物理量を測定して測定値を取得する測定処理をＮ回（Ｎは、２以上の自然数）実行すると共にＮ個の当該測定値の平均値を演算し、かつ当該演算した平均値を示す測定結果表示を表示部の測定結果表示画面内に表示させる測定結果表示方法であって、
前記Ｎ個の測定値の分布を示す測定値分布表示を前記測定結果表示と共に前記測定結果表示画面内に表示させる測定結果表示方法。
【発明の詳細な説明】
【技術分野】
【０００１】
本発明は、複数回の測定処理によって取得した複数の測定値の平均値を測定結果として表示部に表示させる測定装置および測定結果表示方法に関するものである。
【背景技術】
【０００２】
この種の測定装置および測定結果表示方法として、出願人は、抵抗測定装置、および抵抗値の表示方法（以下、「抵抗値表示方法」ともいう）を特許第４９１９７８７号公報に開示している。出願人が開示している抵抗測定装置および抵抗値表示方法では、測定開始を指示されたときに、制御部が測定部を制御して複数回の測定を実行させる。この場合、出願人が開示している抵抗測定装置および抵抗値表示方法では、測定異常の発生がＬ回（Ｌは２以上の自然数）連続したとき、および測定回数がＭ回（ＭはＬ以上の自然数）に達したときのいずれか早いときまで測定部による抵抗値の測定が繰り返して実行される。また、測定回数がＭ回に達したときには、制御部が、測定したＭ個の抵抗値を平均して平均値を算出すると共に、算出した平均値を測定結果として表示部に表示させる。これにより、出願人が開示している抵抗測定装置および抵抗値表示方法では、測定誤差が十分に小さい正確な測定結果を提供することが可能となっている。
【先行技術文献】
【特許文献】
【０００３】
【特許文献１】特許第４９１９７８７号公報（第３−７頁、第１−５図）
【発明の概要】
【発明が解決しようとする課題】
【０００４】
ところが、出願人が開示している抵抗測定装置および抵抗値表示方法には、以下の改善すべき課題が存在する。すなわち、出願人が開示している抵抗測定装置および抵抗値表示方法では、予め規定したＭ回の測定を実行して取得したＭ個の測定値の平均値を表示部に表示させることで、測定誤差が十分に小さい正確な測定結果を提供する構成・方法が採用されている。しかしながら、出願人が開示している抵抗測定装置および抵抗値表示方法では、例えば、Ｍ回の測定のうちのいずれかにおいて、算出される平均値に影響が及ぶ高いレベルのノイズが含まれた値が測定されたり、Ｍ回の測定時に測定環境が大きく変動してＭ個の測定値が互いに大きく相異する値となったりしたとしても、Ｍ個の測定値の平均値が測定結果として表示されるだけのため、表示される平均値の基となるＭ個の測定値の状態を把握するのが困難となっている。
【０００５】
したがって、出願人が開示している抵抗測定装置および抵抗値表示方法では、表示される測定結果（平均値）が、上記の例示のようなノイズの混入や測定値の変動等が生じた測定処理の結果であるのか、ノイズの混入や測定値の変動等が生じることなく実施された測定処理の結果であるのかを特定するのが困難となっており、この点を改善すべきとの課題が存在する。
【０００６】
本発明は、かかる課題に鑑みてなされたものであり、表示部に表示させる測定結果の信頼性を確実かつ容易に認識させ得る測定装置および測定結果表示方法を提供することを主目的とする。
【課題を解決するための手段】
【０００７】
上記目的を達成すべく請求項１記載の測定装置は、測定対象の物理量を測定して測定値を出力する測定処理を実行する測定部と、前記測定部を制御してＮ回（Ｎは、２以上の自然数）の前記測定処理を実行させて当該測定部から出力されたＮ個の前記測定値の平均値を演算すると共に当該演算した平均値を示す測定結果表示を表示部の測定結果表示画面内に表示させる処理部とを備えた測定装置であって、前記処理部は、前記Ｎ個の測定値の分布を示す測定値分布表示を前記測定結果表示と共に前記測定結果表示画面内に表示させる。
【０００８】
また、請求項２記載の測定装置は、請求項１記載の測定装置において、前記処理部は、前記測定結果表示として前記平均値を数値で表示させると共に、前記測定値分布表示として前記Ｎ個の測定値の分布をグラフで表示させる。
【０００９】
さらに、請求項３記載の測定装置は、請求項２記載の測定装置において、前記処理部は、前記Ｎ個の測定値の標準偏差を演算すると共に、当該演算した標準偏差、前記演算した平均値、および前記Ｎ個の測定値に基づき、正規分布を示す正規分布表示を前記測定値分布表示に重ねて表示させる。
【００１０】
また、請求項４記載の測定装置は、請求項２または３記載の測定装置において、前記処理部は、前記平均値を示す平均値表示を前記測定値分布表示に重ねて表示させる。
【００１１】
また、請求項５記載の測定結果表示方法は、測定対象の物理量を測定して測定値を取得する測定処理をＮ回（Ｎは、２以上の自然数）実行すると共にＮ個の当該測定値の平均値を演算し、かつ当該演算した平均値を示す測定結果表示を表示部の測定結果表示画面内に表示させる測定結果表示方法であって、前記Ｎ個の測定値の分布を示す測定値分布表示を前記測定結果表示と共に前記測定結果表示画面内に表示させる。
【発明の効果】
【００１２】
請求項１記載の測定装置、および請求項５記載の測定結果表示方法によれば、Ｎ個の測定値の平均値を示す測定結果表示と共にＮ個の測定値の分布を示す測定値分布表示を測定結果表示画面内に表示させることにより、Ｎ回の測定処理時に、高いレベルのノイズが混入した測定値が取得されたときや、測定部の動作不良や信号ケーブルの接続不良等の測定異常が生じていたときには、測定値分布表示に表示されるＮ個の測定値の分布状況が正規分布とは相異する分布状況となるため、測定結果表示と共に測定結果表示画面内に表示される測定値分布表示を見ることで、Ｎ回の測定処理時にノイズの混入や測定異常等が生じていない（すなわち、測定結果表示として表示されている測定結果（平均値）の信頼性が高い）か、Ｎ回の測定処理時にノイズの混入や測定異常等が生じている（すなわち、測定結果表示として表示されている測定結果（平均値）の信頼性が低い）かを、確実かつ容易に認識させることができる。
【００１３】
また、請求項２記載の測定装置によれば、測定結果表示として平均値を数値で表示させると共に、測定値分布表示としてＮ個の測定値の分布をグラフで表示させることにより、数値で表示されたＮ回の測定処理の平均値を容易に読み取ることができると共に、例えば、Ｎ個の測定値の分布状況を、測定値範囲毎の測定値の数を示す一覧表示で測定値分布表示として表示させる構成・方法とは異なり、Ｎ個の測定値の分布状況を視覚的に認識させることができるため、この種の装置の使用に不慣れな利用者に対しても、Ｎ個の測定値の分布状況を確実かつ容易に認識させることができる。
【００１４】
さらに、請求項３記載の測定装置によれば、Ｎ個の測定値の標準偏差、Ｎ個の測定値の平均値、およびＮ個の測定値に基づき、正規分布を示す正規分布表示を測定値分布表示に重ねて表示させることにより、測定値分布表示によって示されているＮ個の測定値の分布状況が正規分布となっているかを容易に認識させることができる。
【００１５】
また、請求項４記載の測定装置によれば、平均値を示す平均値表示を測定値分布表示に重ねて表示させることにより、測定結果表示によって示されているＮ個の測定値の平均値が、測定値分布表示によって示されているＮ個の測定値の分布状況におけるいずれの測定値範囲に位置しているかを容易に認識させることができる。
【図面の簡単な説明】
【００１６】
【図１】測定装置１の構成を示す構成図である。
【図２】測定結果表示画面１１の一例を示す表示画面図である。
【図３】測定結果表示処理２０のフローチャートである。
【発明を実施するための形態】
【００１７】
以下、測定装置および測定結果表示方法の実施の形態について、添付図面を参照して説明する。
【００１８】
図１に示す測定装置１は、「測定装置」の一例であって、後述する「測定結果表示方法」に従い、図示しない測定対象についての物理量（電圧値、電流値、抵抗値、電力値、位相、温度、湿度、輝度（光度）、照度、雨量および流量等）に関する入力信号Ｓを測定し、その測定結果を表示可能に構成されている。具体的には、この測定装置１は、測定部２、操作部３、表示部４、制御部５および記憶部６を備えて構成されている。
【００１９】
測定部２は、制御部５の制御に従い、上記の入力信号Ｓを測定して（アナログ−デジタル変換して）測定値データＤを生成し、生成した測定値データＤを制御部５に出力する。なお、以下の説明においては、入力信号Ｓを測定して測定値データＤを生成する処理を「測定処理」ともいう。この場合、本例の測定装置１では、後述するように、予め規定されたＮ回（一例として、３回（「Ｎ≧２」の一例である「Ｎ＝３」の例）、または３回を超える複数（例えば１００回（「Ｎ≧２」の一例である「Ｎ＝１００」の例）））の範囲内で利用者が設定した回数）の測定処理が測定部２によって実行され、そのＮ回の測定処理において測定部２から出力されるＮ個の測定値（測定値データＤの値）を平均した平均値が測定結果として表示部４に表示される構成が採用されている。操作部３は、測定装置１の動作条件を設定するための各種操作スイッチを備え、スイッチ操作に応じた操作信号を制御部５に出力する。
【００２０】
表示部４は、一例として液晶表示パネルを備えて構成されて、制御部５から出力される表示用データに基づき、測定装置１の動作条件を設定するための動作条件設定画面（図示せず）や、測定結果を表示する測定結果表示画面１１（図２参照）などを表示する。この場合、図２に示すように、本例の測定装置１では、上記した「平均値」を数値で示す測定結果表示１２と、上記した「Ｎ回の測定処理の各測定値（各測定値データＤの値）」の分布を棒グラフ（「グラフ」の一例）で示す測定値分布表示１３とが測定結果表示画面１１内に並んで表示される構成が採用されている。なお、棒グラフに代えて、「Ｎ回の測定処理の各測定値」の分布を折れ線グラフや、円グラフおよび帯グラフ等の各種グラフ（図示せず）で表示する構成（図示せず）を採用することもできる。
【００２１】
制御部５は、測定装置１を総括的に制御する。具体的には、制御部５は、「処理部」に相当し、操作部３からの操作信号に応じて図３に示す測定結果表示処理２０を実行する。具体的には、制御部５は、測定部２を制御してＮ回の測定処理を実行させると共に、測定部２から出力される測定値データＤを記憶部６に記憶させる。また、制御部５は、記憶部６に記憶させたＮ個の測定値データＤの値（「Ｎ個の測定値」の一例）を平均して平均値を算出し、算出した平均値を測定結果表示１２として測定結果表示画面１１内に表示させる。さらに、制御部５は、記憶部６に記憶させたＮ個の測定値データＤの値の分布を示す測定値分布表示１３を測定結果表示１２と並べて測定結果表示画面１１内に表示させる。記憶部６は、制御部５の演算結果や、上記の測定値データＤなどを記憶する。
【００２２】
この測定装置１によって測定対象についての測定結果（一例として、測定対象の任意の２点間の抵抗値）を表示部４に表示させる際には、まず、操作部３の操作スイッチを操作して動作条件設定画面（図示せず）を表示部４に表示させ、動作条件（測定結果の表示条件）を設定する。具体的には、まず、１つの測定結果を表示させる際に測定部２に実行させる測定処理の回数を設定する。この際には、一例としてＮ＝１００回の測定処理を実行するように設定する。次いで、設定したＮ＝１００回の測定処理によって測定部２から出力されるＮ＝１００個の測定値データＤの値（以下、単に「測定値」ともいう）の分布を測定値分布表示１３として測定結果表示画面１１内に表示させる範囲（測定値分布表示１３に表示させる測定値の上限値および下限値：以下「測定値分布表示１３の表示範囲」ともいう）を設定する。
【００２３】
この場合、本例の測定装置１では、一例として、測定値分布表示１３の表示範囲を利用者が直接指定する設定方法（一例として、「中心値」に対する「±Ａ」の範囲を測定値分布表示１３の表示範囲として設定する際に「中心値」および「±Ａ」を利用者が指定する設定方法）、後述するように制御部５によって演算される「平均値」を中心とする「±Ｄ」の範囲（「±Ｄ」は利用者によって任意に指定される値）を測定値分布表示１３として自動的に設定する設定方法、および後述するように制御部５によって演算される「標準偏差」に対する「±Ｅ倍」の範囲（「±Ｅ倍」は利用者によって任意に指定される倍率）を測定値分布表示１３として自動的に設定する設定方法のうちから任意に選択した設定方法で測定値分布表示１３の表示範囲を設定することができるように構成されている。この際には、一例として、測定値分布表示１３の表示範囲を利用者が直接指定する。
【００２４】
続いて、測定値分布表示１３を幾つに分割して測定値の分布を表示するか（何本の棒グラフで測定値分布表示１３を表示するか）を設定する。この場合、本例の測定装置１では、一例として、分割数を利用者が直接指定する設定方法、上記の設定操作で設定した測定処理の実行回数に応じて分割数が自動的に設定される設定方法、およびＮ個の測定値の最大値および最小値の差に応じて分割数が自動的に設定される設定方法のうちから任意に選択した設定方法で測定値分布表示１３の分割数を設定することができるように構成されている。この際には、一例として、上記の「測定値分布表示１３の表示範囲」として設定した範囲を１１分割してＮ＝１００個の測定値の分布を測定値分布表示１３に表示させるように、「分割数＝１１」を利用者が直接指定する。
【００２５】
これにより、Ｎ＝１００個の測定値のうちの「測定値分布表示１３の表示範囲」として設定された範囲に属する値が、１１個の測定値範囲のうちのいずれかに分類されて、最大で１１本の棒グラフ（値が存在しない測定値範囲が存在しない場合）で測定値分布表示１３として表示されるよう設定される。なお、棒グラフに代えて折れ線グラフで測定値分布表示１３を表示させる構成・方法においては、上記のように設定することで、Ｎ＝１００個の測定値のうちの「測定値分布表示１３の表示範囲」として設定された範囲に属する値が、１１点の折れ点を有する折れ線で表示されるよう設定される。なお、測定値分布表示１３の分割数については、予め規定した固定値のまま変更しないように構成することもできる。
【００２６】
次いで、図示しない一対の信号ケーブルを用いて測定部２の信号入力端子（図示せず）と測定対象とを相互に接続した状態において、操作部３の測定開始スイッチを操作する。これに応じて、制御部５が、図３に示す測定結果表示処理２０を開始する。この測定結果表示処理２０では、制御部５は、まず、測定部２を制御してＮ＝１００回の測定処理のうちの１回目を実行させる（ステップ２１）。この際に、測定部２は、両信号ケーブルを介して入力される入力信号Ｓに基づき、両信号ケーブルが接続されている測定対象における２点間の抵抗値を測定して測定値データＤを生成し、生成した測定値データＤを制御部５に出力する。これに応じて、制御部５は、出力された測定値データＤを記憶部６に記憶させると共に（ステップ２２）、設定回数＝Ｎ＝１００回の測定処理の実行を完了したか否かを判別する（ステップ２３）。この際には、１回目の測定処理が完了しただけ（Ｎ＝１００回の測定処理を完了していない）と判別し、制御部５は、上記のステップ２１に戻って測定部２に２回目の測定処理を実行させる。
【００２７】
一方、上記のステップ２１〜２３の処理を繰り返し実行することで、設定回数＝Ｎ＝１００回の測定処理を完了したと判別したときに（ステップ２３）、制御部５は、記憶部６に記憶させたＮ＝１００個の測定値の平均値、およびＮ＝１００個の測定値の標準偏差をそれぞれ演算する（ステップ２４）。次いで、制御部５は、図２に示すように、演算した平均値を測定結果表示１２に数値で表示させる（ステップ２５）。これにより、同図に示すように、Ｎ＝１００回の測定処理によって測定された測定値（本例では、抵抗値）の平均値が「１．２３４５６ｋΩ」のように測定結果表示画面１１内に表示される。
【００２８】
続いて、制御部５は、記憶部６に記憶されているＮ＝１００個の測定値が、上記の設定操作によって設定した１１分割の測定値範囲のうちのいずれの測定値範囲に属する値であるかをそれぞれ特定する（各測定値範囲に属する値の数をカウントする：ステップ２６）。次いで、制御部５は、特定した結果（カウントした数）に基づき、図２に示すように、各測定値範囲内に属する測定値の数を示す棒グラフを測定値分布表示１３として測定結果表示１２に並べて測定結果表示画面１１内に表示させる（ステップ２７）。
【００２９】
また、制御部５は、測定結果表示１２として測定結果表示画面１１内に表示させたＮ＝１００個の測定値の平均値を示す線Ｌ１（「平均値表示」の一例）を測定値分布表示１３に重ねて測定結果表示画面１１内に表示させる（ステップ２８）。さらに、制御部５は、上記のステップ２４で演算した「標準偏差」および「平均値」と、Ｎ＝１００個の測定値とに基づき、「平均値」を中心する「標準偏差」の範囲を正規分布とし、この正規分布の範囲を線で示すガイド線Ｌ２（「正規分布表示」の一例）を測定値分布表示１３に重ねて測定結果表示画面１１内に表示させ（ステップ２９）、この測定結果表示処理２０を終了する。
【００３０】
この場合、図２に示す例では、棒グラフで表示されたＮ＝１００個の測定値が、線Ｌ１で示される平均値を中心とする正規分布と同様の分布となっている。したがって、ガイド線Ｌ２で示される正規分布と同様となっている分布状況を見た利用者に対して、測定結果表示１２に表示されている測定結果が、高いレベルのノイズの混入や、測定値の変則的な変動等が生じることなく実施されたＮ＝１００回の測定処理によって測定された測定値の平均値である旨、すなわち、測定結果表示１２に表示されている測定結果が高い信頼性を有している旨を認識させることができる。
【００３１】
一方、同図に示す例とは相異するが、例えば、いずれかの測定値範囲に属する測定値の数がガイド線Ｌ２で示されている分布数よりも過剰に多い数のとき（正規分布とは相異する分布状況となっている状態の一例：図示せず）には、Ｎ＝１００回の測定処理のうちの複数回において、高いレベルのノイズ等が混入している入力信号Ｓを対象とする測定が実施されたおそれがある。したがって、そのような分布状況を見た利用者に対して、測定結果表示１２に表示されている測定結果が、高いレベルのノイズが混入した測定値を含む、やや信頼性が低い測定値の平均値である旨を認識させることができる。
【００３２】
また、例えば、いずれかの測定値範囲に属する測定値の数がガイド線Ｌ２で示されている分布数よりも過剰に少ない数のとき（正規分布とは相異する分布状況となっている状態の他の一例：図示せず）には、Ｎ＝１００回の測定処理のうちの複数回において、正常な測定が実施されなかったおそれ（例えば、測定部２が不調であったり、信号ケーブルの接続状態が不安定であったりするおそれ）がある。したがって、そのような分布状況を見た利用者に対して、測定結果表示１２に表示されている測定結果が、正常に実施されなかった測定処理の測定値を含む、やや信頼性が低い測定値の平均値である旨を認識させることができる。
【００３３】
この後、測定結果表示１２に表示されている測定結果（平均値）の信頼性が低いと利用者が判断したときには、信号ケーブルの接続状態をチェックしたり、測定部２の動作状態をチェックしたりした後に、測定対象についての上記の一連の処理を再び実行する。
【００３４】
このように、この測定装置１、および測定装置１による測定結果表示方法によれば、Ｎ個の測定値データＤの値（測定値）の平均値を示す測定結果表示１２と共にＮ個の測定値データＤの値の分布を示す測定値分布表示１３を測定結果表示画面１１内に表示させることにより、Ｎ回の測定処理時に、高いレベルのノイズが混入した測定値が取得されたときや、測定部２の動作不良や信号ケーブルの接続不良等の測定異常が生じていたときには、測定値分布表示１３に表示されるＮ個の測定値の分布状況が正規分布とは相異する分布状況となるため、測定結果表示１２と共に測定結果表示画面１１内に表示される測定値分布表示１３を見ることで、Ｎ回の測定処理時にノイズの混入や測定異常等が生じていない（すなわち、測定結果表示１２として表示されている測定結果（平均値）の信頼性が高い）か、Ｎ回の測定処理時にノイズの混入や測定異常等が生じている（すなわち、測定結果表示１２として表示されている測定結果（平均値）の信頼性が低い）かを、確実かつ容易に認識させることができる。
【００３５】
また、この測定装置１、および測定装置１による測定結果表示方法によれば、測定結果表示１２として平均値を数値で表示させると共に、測定値分布表示１３としてＮ個の測定値データＤの値（測定値）の分布をグラフ（この例では、棒グラフ）で表示させることにより、数値で表示されたＮ回の測定処理の平均値を容易に読み取ることができると共に、例えば、Ｎ個の測定値の分布状況を、測定値範囲毎の測定値の数を示す一覧表示で「測定値分布表示」として表示させる構成・方法とは異なり、Ｎ個の測定値の分布状況を視覚的に認識させることができるため、この種の装置の使用に不慣れな利用者に対しても、Ｎ個の測定値の分布状況を確実かつ容易に認識させることができる。
【００３６】
さらに、この測定装置１、および測定装置１による測定結果表示方法によれば、Ｎ個の測定値データＤの値（測定値）の標準偏差、Ｎ個の測定値データＤの値（測定値）の平均値、およびＮ個の測定値データＤの値（測定値）に基づき、正規分布を示すガイド線Ｌ２を測定値分布表示１３に重ねて表示させることにより、測定値分布表示１３によって示されているＮ個の測定値の分布状況が正規分布となっているかを容易に認識させることができる。
【００３７】
また、この測定装置１、および測定装置１による測定結果表示方法によれば、平均値を示す線Ｌ１を測定値分布表示１３に重ねて表示させることにより、測定結果表示１２によって示されているＮ個の測定値の平均値が、測定値分布表示１３によって示されているＮ個の測定値の分布状況におけるいずれの測定値範囲に位置しているかを容易に認識させることができる。
【００３８】
なお、「測定装置」の構成、および「測定結果表示方法」の内容については、上記の測定装置１の構成、および測定装置１による測定結果表示方法の内容に限定されない。例えば、棒グラフ・折れ線グラフ、円グラフおよび帯グラフ等の各種グラフによってＮ回の測定処理の各測定値の分布状況を表示する測定値分布表示１３を表示させる構成・方法を例に挙げて説明したが、予め設定した数値範囲と、その数値範囲に属する測定値の数との対応関係を示す一覧表示を「測定値分布表示」として表示させることで（図示せず）、Ｎ回の測定処理の各測定値の分布状況を表示する構成・方法を採用することもできる。
【００３９】
また、「平均値表示」を線Ｌ１で示す構成・方法を例に挙げて説明したが、このような構成・方法に代えて、「平均値」を示す任意の図柄や記号（図示せず）を測定値分布表示１３に重ねて表示させる構成・方法を採用することができる。さらに、正規分布に含まれる範囲を線で示すガイド線Ｌ２を「正規分布表示」として表示させる構成・方法を例に挙げて説明したが、正規分布に含まれる範囲と含まれない範囲とを色および模様の少なくとも一方を相異させて塗り分けることで「正規分布表示」とする構成・方法を採用することもできる。
【００４０】
また、Ｎ回の測定処理が完了したときに、Ｎ個の測定値の「平均値」および「標準偏差」を演算して（ステップ２４）、演算した「平均値」を表示させ（ステップ２５）、かつ、各測定値範囲内に属する測定値の数を示す棒グラフを表示させると共に（ステップ２７）、Ｎ個の測定値の平均値を示す線Ｌ１（平均値表示）を表示させ（ステップ２８）、かつ「平均値」を中心する「標準偏差」の範囲を正規分布としてガイド線Ｌ２（正規分布表示）を表示させる（ステップ２９）との構成を例に挙げて説明したが、「平均値」や「標準偏差」を演算する処理、演算した「平均値」を表示させる処理、各測定値の分布を示すグラフを表示させる処理、「平均値表示」を表示させる処理、および「正規分布表示」を表示させる処理について、Ｎ回の測定処理が完了したときだけでなく、Ｎ回の測定処理を完了する以前にも、Ｎａ回（Ｎａは、２以上Ｎ未満の任意の自然数）の測定処理を完了する都度実行する構成（「平均値」、「グラフ」、「平均値表示」および「正規分布表示」をＮａ回の測定処理が完了する都度更新する構成）を採用することもできる。
【００４１】
さらに、表示部４を一体的に備えた測定装置１を例に挙げて説明したが、測定装置の構成はこれに限定されず、外部装置としての表示装置に信号波形を表示させる構成（図示せず）を採用することもできる。
【符号の説明】
【００４２】
１  測定装置
２  測定部
３  操作部
４  表示部
５  制御部
６  記憶部
１１  測定結果表示画面
１２  測定結果表示
１３  測定値分布表示
２０  測定結果表示処理
Ｄ  測定値データ
Ｌ１  線
Ｌ２  ガイド線
Ｓ  入力信号
【図１】
2014059199.tif 000003
【図２】
2014059199.tif 000004
【図３】
2014059199.tif 000005